(57)【要約】【課題】  着脱が容易で、かつ再使用可能なパネル用吊り具およびその吊り構造を提供する。【解決手段】  パネルの上小口面に形成された縦孔とパネル壁面または長辺小口面から縦孔へ連通するように形成された横孔とを利用する吊り具であって、その吊り具は、縦孔から挿通されてパネル上小口面へ当接する鍔部が上端部に設けられた管状部材と、管状部材内に挿通されてその管状部材より長尺な棒状部材と、横孔から挿通されてパネル内部で棒状部材の下端部付近と係合される挿通部材とから成り、さらに、棒状部材を上方へ引き上げた状態で拘束する保持部材が棒状部材の上端部に係合されているパネル用吊り具。【選択図】図１
2006104734.tif 000002
【特許請求の範囲】
【請求項１】
コンクリートパネルの上小口面に形成された縦孔とパネル壁面または長辺小口面から該縦孔へ連通するように形成された横孔とを利用するコンクリートパネル用吊り具であって、
該コンクリートパネル用吊り具は、前記縦孔から挿通されてコンクリートパネル上小口面へ当接する鍔部が上端部に設けられた管状部材と、前記管状部材内に挿通されてその管状部材より長尺な棒状部材と、前記横孔から挿通されてパネル内部で棒状部材の下端部と係合される挿通部材とから成り、さらに、前記棒状部材を上方へ引き上げた状態で拘束する保持部材が該棒状部材の上端部に係合されていることを特徴とするコンクリートパネル用吊り具。
【請求項２】
保持部材と鍔部との間に弾性体が介設されている請求項１記載のコンクリートパネル用吊り具。
【請求項３】
弾性体はスプリングである請求項２記載のコンクリートパネル用吊り具。
【請求項４】
請求項１〜３記載のコンクリートパネル用吊り具を用いて、
縦孔から挿通された管状部材の鍔部がパネル上小口面へ当接し、その管状部材内に棒状部材が挿通されており、その棒状部材の下端部が横孔から挿通された挿通部材とパネル内部で係合され、さらに、前記棒状部材を上方へ引き上げた状態で拘束する保持部材が該棒状部材の上端部に係合されているコンクリートパネルの吊り上げ構造。
【請求項５】
一対の狭持板とそれを連結する連結板とからなる断面略コ字状の吊り上げ金具の狭持板がコンクリートパネルの相対峙する両壁面を狭持し、棒状部材の上端部が連結板中央部の貫通孔を貫通して保持部材と係合し、さらに、連結板の中央部からパネル厚さ方向の一壁面側へオフセットした位置に吊り上げ係止具が設置されている請求項４記載のコンクリートパネルの吊り上げ構造。
【請求項６】
一対の狭持板とそれを連結する連結板とからなる断面略コ字状の吊り上げ金具２個を用いて、それぞれの一対の狭持板がコーナー部の両側に平板部を有する断面Ｌ字型のコーナー用コンクリートパネルの各平板部の相対峙する両平板部壁面を狭持し、吊り具の棒状部材の上端部が連結板中央部の貫通孔を貫通して保持部材と係合し、さらに、連結板の中央部からパネル厚さ方向の外壁面側にオフセットした位置に吊り上げ係止具が設置されている請求項４記載のコンクリートパネルの吊り上げ構造。
【請求項７】
一対の狭持板とそれを連結する連結板とからなる断面略コ字状の吊り上げ金具２個を用いて、それぞれの一対の狭持板がコーナー部の両側に平板部を有する断面Ｌ字型のコーナー用コンクリートパネルの各平板部の相対峙する両平板部壁面を狭持し、吊り具の棒状部材の上端部が連結板中央部の貫通孔を貫通して保持部材と係合し、さらに、それぞれの吊り上げ金具の連結板が室内壁面側に延出されて交差した位置に１つだけ吊り上げ係止具が設置されている請求項４記載のコンクリートパネルの吊り上げ構造。
【発明の詳細な説明】
【技術分野】
【０００１】
本発明は、コンクリートパネル用の吊り具およびその吊り具を用いたコンクリートパネルの吊り構造に関するものである。
【背景技術】
【０００２】
従来より、コンクリートパネルを吊り上げるための吊り具として、コンクリートパネルの上小口面に形成された縦孔とパネル壁面から縦孔へ連通するように形成された横孔とを利用するコンクリートパネル用の吊り具が知られている。
例えば、図９に示す吊り具１１０が特許文献１に開示されている。
この吊り具１１０は、パネル１００を建物駆体へ取付けるためにパネル内へ埋設されるパイプアンカーの機能も果たす。
すなわち、パネル１００の取付時には、建物駆体に係止された取付金具１１４（イナズマプレート）を介して、固定ボルト１１３を棒状部材１１２のネジ孔１１５に締め込むことにより、パネルが建物駆体に取付固定される。
また、パネル１００の吊り上げ時には、吊上げ部材１１１を上端に取付けた棒状部材１１２をコンクリートパネル１００の上小口面のパネル縦孔１０１から挿入し、さらに、取付金具１１４（イナズマプレート）を介してパネル壁面の横孔１０２から固定ボルト１１３を挿入し、その固定ボルト１１３の先端を棒状部材１１２のネジ孔１１５に係合させる。
このようにして、棒状部材１１２と固定ボルト１１３とがパネル内で係合されたパネル１００は、吊上げ部材１１１にクレーンのフックを係止させて吊り上げることが可能となっている。
【０００３】
また、図１０に示す吊り具２１０が特許文献２に開示されている。
この吊り具２１０は、コンクリートパネル２００の上小口面に縦孔２０１とパネル壁面にその縦孔２０１に連通する横孔２０２とが形成され、縦孔２０１に挿通されたパネル吊り具２１０の棒状体２１２と横孔２０２に挿通された挿通部材２１５とがパネル２００の内部で係合されている。
そして、棒状体２１２の外周面の１ ／２ 以上が縦孔２０１の内側面に接着材２１４により固着されており、その棒状体２１２の上端部に吊り部材２１１を係合させることによりパネル２００が吊り上げ可能となる。
【０００４】
さらに、図１１に示すように、コーナー用コンクリートパネル３００（コーナー部の両側に平板部を有する断面Ｌ字型のパネル）を吊り上げる際に使用される吊り具３１０およびその吊り上げ方法が知られている。（特許文献３参照）
この吊り具３１０は、２本のナイロンスリング３１１をコーナ用コンクリートパネル３００の両端部付近に係止させて、それぞれのナイロンスリング３１１の端部をひとつにしてクレーンのフック３１２に引っ掛けて、コーナーパネルを吊り上げる。
【０００５】
【特許文献１】特開平０５−５１９９６号公報
【特許文献２】特開２００４−２２５３９０号公報
【特許文献３】特開２００２−２９５０２１号公報
【発明の開示】
【発明が解決しようとする課題】
【０００６】
しかし、図９に示す吊り具１１０でパネルを吊り上げた場合、パネルの重量が固定ボルト１１３に掛かるため、固定ボルト１１３が曲ったりネジ山が潰れる不具合が発生する。
この不具合により、パネル取付け時に、固定ボルト１１３の棒状部材１１２のネジ孔１１５への締め込み、あるいは緩めることができなくなり、最悪の場合、そのパネルは使用できなくなってしまう。また、吊り上げ度に、固定ボルト１１３をネジ孔１１５へ締め込むことは非常に手間がかかる。
一方、図１０に示す吊り具２１０は、挿通部材２１５および貫通孔２１３は螺刻されていないため、パネル２００への吊り具２１０の装着および取外しが容易である。また、パネル吊り上げ後に挿通部材２１５が曲がっていても、棒状体２１２から容易に取り外すことができる。
しかし、その反面、吊り上げ時に挿通部材２１５が容易に脱落してしまう危険性があり、棒状体２１２を縦孔２０１の内壁面に接着剤２１４で固着させる必要があった。
その結果、この吊り具２１０を使用すると、接着剤２１４の充填作業が増えるとともに吊り具２１０の再使用はできなかった。
【０００７】
また、図１１に示すようなコーナーパネル３００の吊り上げ方法は、吊り上げ作業中にナイロンスリング３１１がコーナ用コンクリートパネル３００の中央寄りにずれることにより、吊り上げのバランスを失ってコーナ用コンクリートパネル３００が落下する危険性がある。
さらに、施工現場において、コーナ用コンクリートパネル３００を建物のコーナー部に近づけて取付けようとすると、ナイロンスリング３１１を一旦外してコーナ用コンクリートパネルを垂直に立ててから取付作業をしなけれなならない。このため、コーナ用コンクリートパネル３００が落下しないように注意して作業をすることが要求される。
そこで、本発明の目的は上記問題点を解決し、パネルへの着脱が容易で、かつ再使用可能なコンクリートパネル用吊り具およびコンクリートパネルの吊り構造を提供することにある。
【課題を解決するための手段】
【０００８】
前記課題を解決するために、第一発明は、
コンクリートパネルの上小口面に形成された縦孔とパネル壁面または長辺小口面から該縦孔へ連通するように形成された横孔とを利用するコンクリートパネル用吊り具であって、
該コンクリートパネル用吊り具は、前記縦孔から挿通されてコンクリートパネル上小口面へ当接する鍔部が上端部に設けられた管状部材と、前記管状部材内に挿通されてその管状部材より長尺な棒状部材と、前記横孔から挿通されてパネル内部で棒状部材の下端部と係合される挿通部材とから成り、さらに、前記棒状部材を上方へ引き上げた状態で拘束する保持部材が該棒状部材の上端部に係合されているコンクリートパネル用吊り具とした。
そして、次の項目をより好ましい条件とした。
１）保持部材と鍔部との間に弾性体が介設されている。（第二発明）
２）弾性体はスプリングである。（第三発明）
【０００９】
さらに、第四発明は、前記コンクリートパネル用吊り具を用いて、
縦孔から挿通された管状部材の鍔部がパネル上小口面へ当接し、その管状部材内に棒状部材が挿通されており、その棒状部材の下端部が横孔から挿通された挿通部材とパネル内部で係合され、さらに、前記棒状部材を上方へ引き上げた状態で拘束する保持部材が該棒状部材の上端部に係合されているコンクリートパネルの吊り構造を採用した。
また、第五発明は、一対の狭持板とそれを連結する連結板とからなる断面略コ字状の吊り上げ金具の狭持板がコンクリートパネルの相対峙する両壁面を狭持し、棒状部材の上端部が連結板中央部の貫通孔を貫通して保持部材と係合し、さらに、連結板の中央部からパネル厚さ方向の一壁面側へオフセットした位置に吊り上げ係止具が設置されているコンクリートパネルの吊り構造とした。
【００１０】
第六発明は、一対の狭持板とそれを連結する連結板とからなる断面略コ字状の吊り上げ金具２個を用いて、それぞれの一対の狭持板がコーナー部の両側に平板部を有する断面Ｌ字型のコーナー用コンクリートパネルの各平板部の相対峙する両平板部壁面を狭持し、吊り具の棒状部材の上端部が連結板中央部の貫通孔を貫通して保持部材と係合し、さらに、連結板の中央部からパネル厚さ方向の外壁面側にオフセットした位置に吊り上げ係止具が設置されているコンクリートパネルの吊り構造とした。
そして、第七発明は、一対の狭持板とそれを連結する連結板とからなる断面略コ字状の吊り上げ金具２個を用いて、それぞれの一対の狭持板がコーナー部の両側に平板部を有する断面Ｌ字型のコーナー用コンクリートパネルの各平板部の相対峙する両平板部壁面を狭持し、吊り具の棒状部材の上端部が連結板中央部の貫通孔を貫通して保持部材と係合し、さらに、それぞれの吊り上げ金具の連結板が室内壁面側に延出されて交差した位置に１つだけ吊り上げ係止具が設置されているコンクリートパネルの吊り構造とした。
【発明の効果】
【００１１】
本発明によれば、パネルへの吊り具の着脱が容易となり、その作業時間が短縮されるとともに吊り具の再使用が可能となるため、作業効率およびコスト面で優れた効果を発揮する。
さらに、垂直軸に対してコーナ用コンクリートパネルを傾斜させて吊り上げることができるため、建物駆体へのコーナ用コンクリートパネルの取付作業性および安全性が著しく向上する。
【発明を実施するための最良の形態】
【００１２】
以下、本発明の実施形態を図１〜図８に基づいて説明する。
図１は本発明におけるコンクリートパネル用吊り具（以下、吊り具という。）の一実施例を示す斜視図、図２はその吊り具がパネル内部に埋設された状態を示す一部破断斜視図、図３は、吊り金具の一実施例を示す斜視図である。また、図４〜図８は、本発明におけるコーナー用コンクリートパネルの吊り上げ構造に関連する図面である。
【００１３】
本発明は、図２に示すように、コンクリートパネル７（以下、パネル７という。）の上小口面７ａに形成された縦孔７ａａとパネル壁面７ｂに縦孔７ａａへ連通するように形成された横孔７ｂａとを利用する吊り具１である。
なお、以下の説明において、横孔７ｂａをパネル壁面７ｂから穿設したが、パネル長辺小口面７ｄから穿設すると、施工後の隣接パネル間に横孔（図示せず。）が隠されてその埋め戻し補修作業が不要となる。
この吊り具１は、図１および図２に示すように、鍔部２ａが一端部に設けられた管状部材２と、管状部材２に挿通されてその管状部材２より長尺な棒状部材３と、棒状部材３の下端部に係合される挿通部材４との３つの主な部材から構成され、さらに、棒状部材３の上端部３ａに保持部材５が係合される。
【００１４】
上小口面７ａから縦孔７ａａに挿通された管状部材２の鍔部２ａはパネル７の上小口面７ａに当接されており、その管状部材２の内部に挿通されて下端から延出する棒状部材３の貫通孔３ｄと横孔７ｂから挿通された挿通部材４とがパネル７の内部で係合される。
さらに、棒状部材３は上方へ引き上げた状態、すなわち、下端部３ｂが挿通部材４に係合した棒状部材３が上方（パネル上小口面７ａの方向）へ引き上げられた状態で保持部材５が上端部３ａに係合されている。このとき、保持部材５が鍔部２ａの上面に強く当接して固着されていることにより、棒状部材３が上方へ引き上げられた状態で拘束される。
【００１５】
図１または図２に示す実施形態では、棒状部材３の下端部３ｂに設けられた貫通孔３ｄに挿通部材４が挿通されることにより互いに係合されている。また、保持部材５として吊り部材５ａまたはナット５ｂが、棒状部材３の上端部３ａに設けられた螺刻部３ｃに螺合して係合されている。
そして、吊り部材５ａまたはナット５ｂを締め込むことにより、棒状部材３が上方へ引き上げられた状態で拘束されるようになる。
【００１６】
このようにして、棒状部材３の下端部３ｂが挿通部材４で係合され、かつ、その棒状部材３が上方へ引き上げられた状態で拘束されていることにより、パネル内部で挿通部材４も拘束された状態となり、棒状部材３の貫通孔３ｄおよび横孔７ｂａから挿通部材４が容易に脱落しなくなる。
さらに、保持部材５を吊り部材５ａとして兼用させると、その吊り部材５ａにクレーンのフックを直接引っ掛けて、パネルを吊り上げることが可能となる。
【００１７】
また、図１または図２に示すように、保持部材５と鍔部２ａとの間に弾性体６が介設されていると、保持部材５の締め込みにより縮んだ弾性体６の反発力が所定の力で棒状部材３を常に上方へ引き上げた状態で拘束するようになる。
これらの作用により、パネル吊り上げ時に、鍔部２ａが当接する上小口面７ａまたはパネル横孔７ｂａの内壁部に欠けや母材の潰れが発生しても、棒状部材３を引き上げ力が緩むことがないため、棒状部材３および挿通部材４の拘束状態が常に確保されるようになる。
弾性体６としては、ゴム、樹脂、スポンジ、ばね座金、油圧シリンダーまたは空気シリンダーが考えられるが、鋼鉄製のスプリング６であると強度が得られるとともに棒状部材３を容易に挿通させることができて望ましい。
【００１８】
なお、図１または図２に示すように、保持部材５と鍔部２ａとの間にはワッシャーを適宜介設しておくと良い。
また、挿通部材４の先端を約９０度折り曲げておくと、横孔７ｂの開口部で引っ掛かり、パネル内部にまで挿通部材４が入り込んでしまわないため好ましい。
さらに、スプリング６の高さより低い筒状のスリーブリング８を用いて、その内部にスプリング６を配置しておくと、スプリング６が完全に潰れるまで保持部材５を締め込み過ぎることが無くなり、棒状部材３の引き上げ力を所定の範囲内に設定することができるとともに、棒状部材３が遊動しても挿通部材４がより抜け落ち難くなる。
【００１９】
また、図３に示すように、前記吊り具１を平パネル７の上小口面７ａの中心位置に埋設させて、次の吊り上げ金具１０を使用することにより、垂直軸に対してパネル７を傾斜させて吊り上げることができるようになる。
この吊り上げ金具１０は、一対の狭持板１０ｂとそれを連結する連結板１０ａとからなる断面が略コ字状の金具であり、一対の狭持板１０ｂの間にパネル７が勘合されて、相対峙する両壁面（７ｂ，７ｃ）が狭持される。
そして、連結板１０ａの中央部の貫通孔１０ｃに、前記吊り具１の棒状部材３の上端部３ａが貫通して保持部材５と係合される。さらに、連結板１０ａの中央部からパネルの厚さ方向９の一壁面側へオフセットした位置（図３において右斜め奥）に、吊り上げ係止具１１が設置されている。
【００２０】
この吊り上げ係止具１１をクレーンのフックに引っ掛けて吊り上げると、吊り上げ係止具１１の設置位置がパネルの厚さ方向９の一壁面側へオフセットしているため、垂直軸に対して壁面７ｂ（７ｃ）が傾斜した状態でパネル７が吊り上げられる。
これにより、上層階の壁等とクレーンのフック等が干渉しないように建物の壁面（図示せず）から離してパネル７が吊り上げられても、パネル７の下部が建物駆体に近づくことにより容易に引き寄せて取付作業ができる。
【００２１】
次に、建物駆体のコーナーに取付けられるパネルであって、コーナー部の両側に平板部２１，２２を有する断面Ｌ字型のコーナー用コンクリートパネル２０（以下、コーナーパネル２０という。）の吊り上げ構造について、図４〜図８に基づいて説明する。
コーナーパネル２０の吊り上げは、前述吊り具１と前記吊り上げ金具１０とを、それぞれ２個ずつ用いる。
図４はコーナーパネル２０の吊り上げの一実施例を示す側断面図で、図５はそのコーナーパネルを上方から見た説明正面図である。図６はコーナーパネル２０の吊り上げの他の実施例を示す側断面図で図７はそのコーナーパネルを上方から見た説明正面図である。また、図８は吊り上げられたコーナーパネルが建物に近づいた状態を示す説明斜視図である。
【００２２】
吊り上げられるコーナーパネル２０は、図４または図５に示すように、コーナーパネル２０の上小口面２０ａから各平板部２１，２２に穿設された縦孔２０ａｂ，２０ａｃと、長辺小口面２０ｂ，２０ｃから縦孔２０ａｂ，２０ａｃへそれぞれ連通するように形成された横孔２０ｂａ，２０ｃａとが形成されている。
そして、それぞれの縦孔２０ａｂ，２０ａｃに挿通されたそれぞれの管状部材２の鍔部２ａはコーナーパネル２０の上小口面２０ａに当接されており、それらの管状部材２の内部に挿通されて下端から延出する棒状部材３の下端部３ｄと横孔２０ｂａ，２０ｃａから挿通された挿通部材４とがパネル２０の内部でそれぞれ係合される。
図４または図５に示す実施形態では、棒状部材３の下端部３ｂに設けられた貫通孔３ｄに挿通部材４が挿通されることにより互いに係合されている。
さらに、保持部材５としてナット５ｂが、棒状部材３の上端部３ａに設けられた螺刻部３ｃに締着されて、棒状部材３が上方（パネル上小口面２０ａの方向）へ引き上げられた状態で拘束されている。
図４に示すように、保持部材５と鍔部２ａとの間に弾性体６が介設されていると、その弾性体６の反発力により棒状部材３が所定の力で常に上方へ引き上げられた状態で拘束されて望ましい。
【００２３】
このようにして、吊り具１が２個埋設されたコーナーパネル２０に、平パネルの吊り上げ時に用いた図３に示す吊り上げ金具１０が２個取付けられる。
すなわち、コーナーパネルのそれぞれの平板部２１，２２の相対峙する壁面が、２個の吊り上げ金具１０の狭持板１０ｂの間にそれぞれ勘合されて狭持される。そして、各連結板１０ａの中央部にも設けられた貫通孔１０ｃに、それぞれの吊り具１の棒状部材３の上端部３ａが貫通して保持部材５と係合される。
さらに、図４または図５に示すように、吊り上げ金具１０の各連結板１１ａの中央部からパネル厚さ方向の外壁面側にオフセットした位置に、吊り上げ係止具１１がそれぞれ１個ずつ設置される。
【００２４】
そして、図４に示すように、ワイヤースリング１３を介してクレーンのフック１２を２個の吊り上げ係止具１１に引っ掛けることにより、コーナパネル２０を吊り上げることができる。
棒状部材３の下端部３ｂが挿通部材４で係合され、かつ、その棒状部材３が上方へ引き上げられた状態で拘束されていることにより、パネル内部で挿通部材４も拘束された状態となり、棒状部材３の貫通孔３ｄおよび横孔２０ｂａ、２０ｃａから挿通部材４が脱落することもなく、安定してコーナーパネル２０を垂直に吊り上げることが可能となる。
【００２５】
また、前述した吊り具１および吊り上げ金具１０が平板部２１,２２に一対ずつ取付けられたコーナーパネル２０において、図６および図７に示すように、それぞれの吊り上げ金具１０の連結板１０ａが室内壁面側に延出されて交差した位置Ｐに１つだけ吊り上げ係止具１１が設置されていると、垂直軸に対して壁面２１,２２を傾斜させた状態でコーナーパネル２０を安定して吊り上げられる。
これにより、図８に示すように、上層階の壁等とクレーンのフック１２が干渉しないように建物の壁面３０から離してコーナーパネル２０が吊り上げられていても、コーナーパネル２０の下部が建物駆体に近づくことにより容易に引き寄せて取付作業ができるようになる。
【実施例】
【００２６】
以下、実施例について説明をする。
吊り具および平パネルの吊り上げについて、図１、図２および図３に基づき以下に説明する。
［実施例１］
図２に示すように、軽量気泡コンクリートパネル７（長さ：１８００ｍｍ ，幅：６００ｍｍ ，厚さ：１２０ｍｍ）の上小口面７ａ（吊上げ時に上側となる短辺小口面）に縦孔７ａａ（直径：２５ｍｍ ，長さ：４００ｍｍ ）と、パネル壁面７ｂに縦孔７ａａへ連通する横孔７ｂａ（直径：１５ｍｍ ，長さ：９５ｍｍ ）とをそれぞれ形成する。
縦孔７ａａは、パネル厚さおよび幅方向の中心位置に穿設されており、さらに、縦孔７ａａの開口部は直径３５ｍｍの円錐状の拡径部が上小口面７ａから５０ｍｍ の深さまで設けられている。また、横孔７ｂａは、上小口面７ａ から２８０ｍｍ下方へ離れた位置の壁面７ｂに穿設する。
【００２７】
そして、図１および図２に示すように、管状部材２（外径：２２ｍｍ，長さ：２５０ｍｍ，内径：１８ｍｍ，鋼管）をその鍔部２ａ（直径：５０ｍｍ，内径：１５ｍｍ，板厚：３ｍｍ）がパネル７の上小口面７ａに当接するまで縦孔７ａａに挿通し、さらに、管状部材２の内部に棒状部材３の下端部３ｂが管状部材２の下端から延出するまで棒状部材３（直径：１５ｍｍ，長さ：３７０ｍｍ，鋼棒）を挿通する。さらに、その棒状部材３の下端部７ｂに設けた貫通孔３ｄ（直径：１０ｍｍ，下端から２０ｍｍ位置）に、挿通部材４（直径：９ｍｍ，長さ：１００ｍｍ，鋼棒）を横孔７ｂａから挿通してパネル７の内部で係合させる。
次に、図１に示すように、棒状部材３の上端部３ａからスプリング６（外径：２５ｍｍ，高さ：３０ｍｍ，バネ定数２６Ｎ／mm）、スリーブリング８（外径：３３ｍｍ，内径２８ｍｍ，高さ２０ｍｍ）およびワッシャーを挿通して、螺刻部３ｃに吊り部材５ａ（保持部材５）を螺合させる。
そして、スプリング６が潰れてスリーブリング８内に隠れて見えなくなるまで吊り部材５ａを締め込むことにより、棒状部材３に所定の引き上げ力が常に上方へ働き拘束した状態で、棒状部材３の上端部３ａに吊り部材５ａが係合される。
【００２８】
そして、吊り部材５ａにクレーンのフックを引っ掛けてパネル７を吊り上げた。
その結果、吊り具１が緩んだり横孔７ｂａから挿通部材４が脱落することはなく、安全で確実にパネル７を吊り上げることができた。
また、吊り具１は、その装着が前述のように容易であるとともに、その取り外しにおいても吊り部材５ａを少し緩めるのみで、挿通部材４を容易に引き抜くことができ、同時に管状部材２および棒状部材１を取り外すことができた。
【００２９】
また、前記吊り具１に加えて、図３に示すような、一対の狭持板１０ｂ（縦横：８０ｍｍ，板厚：８ｍｍ，鋼板）とそれを連結する連結板１０ａ（縦：１２５ｍｍ，横：８０ｍｍ）とからなる断面略コ字状の吊り上げ金具１０を用いてパネル７を吊り上げた。
この、連結板１０ａには、その中心からパネルの厚さ方向９の一壁面側へ６０ｍｍオフセットした位置に、吊り上げ係止具１１が設置されている。
吊り上げ金具１０を装着するために、図３に示すように、一対の狭持板１０ｂの間にパネル７を勘合させて、相対峙する両壁面（７ｂ，７ｃ）を狭持させる。
また、図３に示すように、両狭持板１０ｂの内側にクッション材１０ｄを貼着しておくことにより、パネル壁面７ｂを傷付けることもなく、かつ、がたつきを無くして狭持できて好ましい。
【００３０】
そして、図３に示すように、前記吊り具１を埋設したパネル７の上小口面７ａから延出している棒状部材３の上端部３ａを連結板１０ａの中央部の貫通孔１０ｃに貫通させて、ナット５ｂ（保持部材）を螺刻部３ｃに螺合させて締め込む。
このとき、連結部１０ａと鍔部２ａ間にスプリング６およびスリーブリング８を介設しておき、スリーブリング８内にスプリング６が潰れて隠れるまでナット５ｂを締め込み、棒状部材３が上方へ引き上げられた状態で拘束しておく。
【００３１】
そして、吊り上げ金具１０の吊り上げ係止具１１にクレーンのフックを引っ掛けて吊り上げると、垂直軸に対して壁面７ｂ（７ｃ）を約４度傾斜させた状態でパネル７を吊り上げることができた。
【００３２】
コーナーパネル２０の吊り上げについて、図４、図５、図６、図７および図８に基づき以下に説明する。
［実施例２］
図４および図５に示すように、軽量気泡コンクリート製のコーナーパネル２０（長さ：１８００ｍｍ ，幅１（Ｈ１）：３００ｍｍ ，幅２（Ｈ２）：３００ｍｍ ，厚さ：１２０ｍｍ）の上小口面２０ａに縦孔２０ａｂ,２０ａｃ（直径：２５ｍｍ ，長さ：４００ｍｍ ）と、長辺小口面２０ｂ，２０ｃから縦孔２０ａｂ，２０ａｃへ連通する横孔２０ｂａ，２０ｃａ（直径：１５ｍｍ ，長さ：１６０ｍｍ ）とを形成する。
なお、縦孔２０ａｂ，２０ａｃは、コーナーパネル２０のコーナー部２３から長辺小口面２０ｂ，２０ｃの方向へ１７５ｍｍ離れてその厚さ方向の中心位置に穿設し、横孔２０ｂａ，２０ｃａは、上小口面２０ａから２８０ｍｍ下方へ離れた位置の長辺小口面２０ｂ，２０ｃに穿設する。
さらに、それぞれの縦孔２０ａｂ，２０ａｃおよび横孔２０ｂａ，２０ｃａを利用して、実施例１と同じ吊り具１および吊り金具１０を２対コーナーパネル２０に配設した。このとき、吊り金具１０の連結板１０ａの中央部からパネル厚さ方向９の外壁面側にオフセットした位置に吊り上げ係止具１１を設置した。
【００３３】
そして、図４に示すように、２個の吊り上げ係止具１１にワイヤースリング１３を介してクレーンのフック１２を引っ掛けて、コーナパネル２０を吊り上げた。
横孔２０ｂａ、２０ｃａから挿通部材４が脱落することもなく、安定してコーナーパネル２０を垂直に吊り上げることができた。
【００３４】
［実施例３］
図６および図７に示すように、それぞれの吊り上げ金具１０の連結板１０ａが室内壁面側に延出されて交差した位置Ｐに１つだけ吊り上げ係止具１１を設置した以外は、実施例２と同じとした。
そして、この吊り上げ係止具１１にクレーンのフック１２を引っ掛けて吊り上げると、図８に示すように、平板部２１および平板部２２が垂直軸に対して約４度傾斜させた状態で安定してコーナーパネル２０を吊り上げることができた。
その結果、クレーンのフック１２およびワイヤー１４が上層階の壁等と干渉することなく、さらに、建物駆体に近づいたコーナーパネル２０の下部を容易に引き寄せることができ、コーナーパネル２０の取付作業性を向上させることができた。
【００３５】
以上、本発明の実施例を図面に基づいて詳細に説明してきたが、本発明の具体的な構成はこれらの実施例に限定されるものではなく、発明の要旨を逸脱しない範囲の設計変更等があっても本発明に含まれる。
【産業上の利用可能性】
【００３６】
本発明は、軽量気泡コンクリートパネル、セメント板、押出成形セメント板、およびＧＲＣパネル等の重量のあるコンクリートパネルを吊り上げ移動させるるとともに、その吊り具の脱着の容易性が要求される分野において、その効果を発揮する。
【図面の簡単な説明】
【００３７】
【図１】コンクリートパネル用吊り具の一実施例を示す斜視図。
【図２】図１のコンクリートパネル用吊り具がパネル内に埋設された状態を示す一部破断斜視図。
【図３】吊り上げ金具の一実施例を示す説明斜視図。
【図４】コーナーパネルの吊り上げの一実施例を示す側断面図。
【図５】図４のコーナーパネルを上方から見た説明正面図。
【図６】コーナーパネルの吊り上げの他の実施例を示す側断面図。
【図７】図６のコーナーパネルを上方から見た説明正面図。
【図８】吊り上げたコーナーパネル下部が建物に近づく状態を示す説明斜視図。
【図９】従来例の吊り具を示す説明斜視図。
【図１０】従来例の他の吊り具を示す説明斜視図。
【図１１】従来例のコーナー用コンクリートパネルの吊り具を示す説明斜視図。
【符号の説明】
【００３８】
１  コンクリートパネル用吊り具
２  管状部材
２ａ  鍔部
３  棒状部材
３ａ  上端部
３ｂ  下端部
３ｃ  螺刻部
３ｄ  貫通孔
４  挿通部材
５  保持部材
５ａ  吊り部材
５ｂ  ナット
６  弾性体（スプリング）
７  コンクリートパネル（パネル）
７ａ  上小口面
７ａａ  縦孔
７ｂ，７ｃ  壁面
７ｂａ  横孔
７ｄ  長辺小口面
８  スリーブリング
９  パネルの厚さ方向
１０  吊り上げ金具
１０ａ  連結板
１０ｂ  狭持板
１０ｃ  貫通孔
１０ｄ  クッション材
１１  吊り上げ係止具
１２  フック
１３  ワイヤースリング
１４  ワイヤー
２０  コーナ用コンクリートパネル（コーナーパネル）
２０ａ  上小口面
２０ａｂ，２０ａｃ縦孔
２０ｂ，２０ｃ  長辺小口面
２０ｂａ，２０ｃａ  横孔
２１，２２  平板部
２３  コーナー部
３０  建物の壁面
Ｐ  連結板が室内壁面側に延出されて交差した位置
１００  コンクリートパネル
１０１  縦孔
１０２  横孔
１１０  吊り具
１１１  吊り上げ部材
１１２  棒状部材
１１３  固定ボルト
１１４  取付金具
１１５  ネジ孔
２００  コンクリートパネル
２０１  縦孔
２０２  横孔
２１０  吊り具
２１１  吊り部材
２１２  棒状体
２１３  貫通孔
２１４  接着剤
２１５  挿通部材
３００  コーナ用コンクリートパネル
３１０  吊り具
３１１  ナイロンスリング
３１２  フック
【図１】
2006104734.tif 000003
【図２】
2006104734.tif 000004
【図３】
2006104734.tif 000005
【図４】
2006104734.tif 000006
【図５】
2006104734.tif 000007
【図６】
2006104734.tif 000008
【図７】
2006104734.tif 000009
【図８】
2006104734.tif 000010
【図９】
2006104734.tif 000011
【図１０】
2006104734.tif 000012
【図１１】
2006104734.tif 000013